(57)【要約】【課題】タイマ機能の残時間を直感的に把握し、視覚的な表示を通じて再設定することが可能な計時システムおよびテレビジョン装置を提供する。【解決手段】計時システム１は、設定時間の入力を受け付ける入力部６０と、入力された設定時間からの残時間を計測する計時部１１と、画像１００を表示する表示部３２とを有する。計時システム１は、表示部３２に表示される画像１００に残時間を示す第１図形１２０を合成して出力する画像合成部２０をさらに有し、第１図形１２０が、残時間に応じて大きさが変化する。【選択図】図１
2019144883.tif 000002
【特許請求の範囲】
【請求項１】
設定時間の入力を受け付ける入力部と、
前記入力された設定時間からの残時間を計測する計時部と、
画像を表示する表示部とを有する計時システムであって、
前記表示部に表示される前記画像に残時間を示す第１図形を合成して出力する画像合成部をさらに有し、
前記第１図形が、前記残時間に応じて大きさが変化することを特徴とする計時システム。
【請求項２】
前記入力部が、前記第１図形の大きさを変化させる第１入力を受け付け、
該第１入力により変化した前記第１図形の大きさに応じて、前記残時間が増減することを特徴とする請求項１に記載の計時システム。
【請求項３】
前記画像合成部が、前記第１図形と共に、前記第１図形とは異なる、残時間を示す第２図形を前記画像に合成して出力し、
前記第２図形は、前記残時間に応じて位置が変化することを特徴とする請求項１または２に記載の計時システム。
【請求項４】
前記第１図形が、前記残時間の分単位を大きさにより示す表示画像であり、前記第２図形が、前記残時間の秒単位を位置により示す表示画像であることを特徴とする請求項３に記載の計時システム。
【請求項５】
前記第２図形が、前記残時間の秒単位がゼロのときに、前記第１図形の位置に合成して表示されることを特徴とする請求項４に記載の計時システム。
【請求項６】
傾きを感知する加速度センサをさらに備え、
前記入力部が、前記加速度センサが感知した前記傾きに応じて前記第２図形の位置を変化させる第２入力を受け付け、
該第２入力により変化した前記第２図形の位置に応じて、前記残時間が増減することを特徴とする請求項３から５のいずれか１項に記載の計時システム。
【請求項７】
前記画像が、前記第１図形および／または前記第２図形に透過して表示されることを特徴とする請求項３から６のいずれか１項に記載の計時システム。
【請求項８】
前記第１図形が、前記表示部の隅を含む外縁またはその近傍に、前記画像に合成して表示されることを特徴とする請求項１から７のいずれか１項に記載の計時システム。
【請求項９】
前記計時部が、前記画像合成部に、前記残時間を示す数値を前記画像に合成して出力させることを特徴とする請求項３から８のいずれか１項に記載の計時システム。
【請求項１０】
前記数値が、前記第１図形および／または前記第２図形の内部または近傍に表示されることを特徴とする請求項９に記載の計時システム。
【請求項１１】
近傍にいる人間の存在を感知する人感センサと、前記残時間がゼロになったことを音声により報知する音声報知部とをさらに備え、
前記人感センサが近傍にいる人間の存在を感知しない場合、該存在を感知する場合と較べ、前記音声報知部が前記音声の音量を上げることを特徴とする請求項１から１０のいずれか１項に記載の計時システム。
【請求項１２】
請求項１から請求項１１のいずれか１項に記載の計時システムを備えたテレビジョン装置。
【発明の詳細な説明】
【技術分野】
【０００１】
本発明は、計時システムおよびテレビジョン装置に関し、詳細には、残時間を直感的に把握し、視覚的な表示を通じて再設定することが可能な計時システムおよびテレビジョン装置に関する。
【背景技術】
【０００２】
タッチパネルを備えた表示装置が普及し、スマートフォン、携帯情報端末、ＰＣ等の情報家電のみならず、テレビジョン装置やカーナビゲーション装置など様々な電子機器に搭載され、広く用いられている。
【先行技術文献】
【特許文献】
【０００３】
【特許文献１】特許第６２１６９４３号公報
【発明の概要】
【発明が解決しようとする課題】
【０００４】
ところで、特許文献１に記載の電子システムは、車両の現在の燃料消費状況を、ユーザにリアルタイムで実感させるように、表示手段に変動表示させる。ここで、変動表示は、燃料消費に応じてオブジェクトが移動、出現または消失する表示であり、より具体的には、液体のイメージのオブジェクト（液体オブジェクト）が流下する表示である。この液体オブジェクトは、燃料消費の増減に影響のある運転状況の変化があった場合に変更され、流下する液体である雫のオブジェクトの数や大きさの違いで表示される。
しかしながら、この液体オブジェクトは、表示の変化により、ユーザに直感的な状況把握を促すものであるが、単に経時的な要素により変化するものではなく、また、変動表示の対象に対して、ユーザが変更、再設定を行うことができるものではない。
【０００５】
本発明は、上述のような実情に鑑みてなされたもので、タイマ機能の残時間を直感的に把握し、視覚的な表示を通じて再設定することが可能な計時システムおよびテレビジョン装置を提供することを目的とする。
【課題を解決するための手段】
【０００６】
上記課題を解決するために、本発明の第１の技術手段は、設定時間の入力を受け付ける入力部と、前記入力された設定時間からの残時間を計測する計時部と、画像を表示する表示部とを有する計時システムであって、前記表示部に表示される前記画像に残時間を示す第１図形を合成して出力する画像合成部をさらに有し、前記第１図形が、前記残時間に応じて大きさが変化することを特徴としたものである。
【０００７】
第２の技術手段は、第１の技術手段において、前記入力部が、前記第１図形の大きさを変化させる第１入力を受け付け、該第１入力により変化した前記第１図形の大きさに応じて、前記残時間が増減することを特徴としたものである。
【０００８】
第３の技術手段は、第１または第２の技術手段において、前記画像合成部が、前記第１図形と共に、前記第１図形とは異なる、残時間を示す第２図形を前記画像に合成して出力し、前記第２図形は、前記残時間に応じて位置が変化することを特徴としたものである。
【０００９】
第４の技術手段は、第３の技術手段において、前記第１図形が、前記残時間の分単位を大きさにより示す表示画像であり、前記第２図形が、前記残時間の秒単位を位置により示す表示画像であることを特徴としたものである。
【００１０】
第５の技術手段は、第４の技術手段において、前記第２図形が、前記残時間の秒単位がゼロのときに、前記第１図形の位置に合成して表示されることを特徴としたものである。
【００１１】
第６の技術手段は、第３から第５のいずれか１の技術手段において、傾きを感知する加速度センサをさらに備え、前記入力部が、前記加速度センサが感知した前記傾きに応じて前記第２図形の位置を変化させる第２入力を受け付け、該第２入力により変化した前記第２図形の位置に応じて、前記残時間が増減することを特徴としたものである。
【００１２】
第７の技術手段は、第３から第６のいずれか１の技術手段において、前記第１図形および／または前記第２図形に透過して表示されることを特徴としたものである。
【００１３】
第８の技術手段は、第１から第７のいずれか１の技術手段において、前記第１図形が、前記表示部の隅を含む外縁またはその近傍に、前記画像に合成して表示されることを特徴としたものである。
【００１４】
第９の技術手段は、第３から第８のいずれか１の技術手段において、前記画像合成部に、前記残時間を示す数値を前記画像に合成して出力させることを特徴としたものである。
【００１５】
第１０の技術手段は、第９の技術手段において、前記数値が、前記第１図形および／または前記第２図形の内部または近傍に表示されることを特徴としたものである。
【００１６】
第１１の技術手段は、第１から第１０のいずれか１の技術手段において、近傍にいる人間の存在を感知する人感センサと、前記残時間がゼロになったことを音声により報知する音声報知部とをさらに備え、前記感知部が近傍にいる人間の存在を感知しない場合、該存在を感知する場合と較べ、前記音声報知部が前記音声の音量を上げることを特徴としたものである。
【００１７】
第１２の技術手段は、第１から第１１のいずれか１の技術手段における計時システムを備えたテレビジョン装置であることを特徴としたものである。
【発明の効果】
【００１８】
本発明によれば、タイマ機能の残時間を直感的に把握し、視覚的な表示を通じて再設定することができる計時システムおよびテレビジョン装置を提供することができる。
【図面の簡単な説明】
【００１９】
【図１】本発明に係る計時システムの実施形態の構成例を示すブロック図である。
【図２】本発明に係る計時システムの時間設定表示画像を示す図である。
【図３Ａ】本発明の実施形態１に係る計時システムにおける表示画像の例を示す図である。
【図３Ｂ】図３Ａに示す表示画像に続く、表示画像の例を示す図である。
【図３Ｃ】図３Ｂに示す表示画像に続く、表示画像の例を示す図である。
【図３Ｄ】図３Ｃに示す表示画像に続く、表示画像の例を示す図である。
【図３Ｅ】図３Ｄに示す表示画像に続く、表示画像の例を示す図である。
【図４】本発明の実施形態２に係る計時システムにおける表示画像の例を示す図である。
【図５Ａ】本発明の実施形態３に係る計時システムにおける表示画像の例を示す図である。
【図５Ｂ】図５Ａに示す表示画像に続く、表示画像の例を示す図である。
【図５Ｃ】図５Ｂに示す表示画像に続く、表示画像の例を示す図である。
【図６Ａ】本発明の実施形態４に係る計時システムにおける表示画像の例を示す図である。
【図６Ｂ】図６Ａに示す表示画像に続く、表示画像の例を示す図である。
【図７Ａ】本発明の実施形態５に係る計時システムにおける表示画像の例を示す図である。
【図７Ｂ】図７Ａに示す表示画像に続く、表示画像の例を示す図である。
【発明を実施するための形態】
【００２０】
以下、図面を参照しながら、本発明の計時システムおよびテレビジョン装置に係る好適な実施の形態について説明する。以下の説明において、異なる図面においても同じ符号を付した構成は同様のものであるとして、その説明を省略する場合がある。なお、本発明はこれらの実施形態での例示に限定されるものではなく、特許請求の範囲に記載された事項の範囲内および均等の範囲内におけるすべての変更を含む。また、複数の実施形態を説明するが、組み合わせが可能である限り、実施形態は任意に組み合わせて実施することができる。
【００２１】
以下、本発明の計時システムの例として、テレビジョン装置の場合について説明する。図１は、本発明に係る計時システム１の実施形態の構成例を示すブロック図である。図１に示すように、本実施形態の計時システム１は、テレビジョン装置９０に搭載されており、テレビジョン装置９０は、チューナ部９２、復調部９３、分離部９４、映像処理部９５、音声処理部９６を有している。
【００２２】
チューナ部９２は、アンテナ９１を通して受信したテレビジョン放送信号を選択する。復調部９３は、選択されたテレビジョン放送信号を検波する。分離部９４は、検波されたテレビジョン放送信号を映像情報と音声情報に分離し、それぞれ、映像処理部９５および音声処理部９６に出力する。
【００２３】
計時システム１は、タイマ処理部１０、画像合成部２０、画像出力部３１、表示部３２、音声合成部４０、音声出力部５１、スピーカ５２、入力部６０、加速度センサ７０、人感センサ８０を有している。なお、タイマ処理部１０を除く計時システム１の各構成部は、テレビジョン装置９０のものと兼用することができる。
映像処理部９５で信号処理された映像情報は、画像合成部２０および画像出力部３１を通じて、表示部３２に出力される。音声処理部９６で信号処理された音声情報は、音声合成部４０および音声出力部５１を通じて、スピーカ５２に出力される。ここで、音声出力部５１とスピーカ５２とを一体に音声報知部５０と称する。画像合成部２０、音声合成部４０および音声報知部５０については、詳細を後述する。
【００２４】
タイマ処理部１０は、計時部１１、記憶部１２、画像生成部１３、音声生成部１４からなり、入力部６０、加速度センサ７０、人感センサ８０からの入力を受け付ける。
入力部６０は、タイマ機能の設定時間の入力を受け付け、タイマ処理部１０に出力する。入力部６０は、指またはスタイラスペンによるタッチ操作を画面上で受け付けるタッチパネルとして表示部３２と一体に構成されることが好ましいが、表示部３２から独立した物理ボタン、リモコン、有線または無線のキーボード、マウス、トラックボール等の入力装置として構成されてもよい。
【００２５】
加速度センサ７０は、傾きを感知し、感知した傾きをタイマ処理部１０に出力する。人感センサ８０は、近傍にいる人間の存在を感知し、感知したことをタイマ処理部１０に出力する。なお、人感センサの代わりにカメラを備えることで、近傍にいる人間の存在を感知する構成としてもよい。
【００２６】
計時部１１は、入力部６０を通じて入力された設定時間からの残時間を計測する。記憶部１２は、入力された設定時間、設定時間から経過時間を減算した残時間の他、後述する画像生成部１３が生成する第１図形および第２図形、時間設定表示画像、タイマ終了表示画像、同じく後述する音声生成部１４が生成する音声等のデータを記憶する。
画像生成部１３は、残時間を示す第１図形および第２図形を生成する。生成された第１図形および第２図形は、画像合成部２０に出力され、映像処理部９５から出力される映像情報に合成されて、画像出力部３１を通じて、表示部３２に表示される。ここで、第１図形は残時間の分単位を、第２図形は残時間の秒単位を示す表示画像であり、残時間に応じて、例えば、各図形の大きさ、位置、色、透過率等が変化することによって、ユーザが直感的に残時間を把握することができる表示画像である。
【００２７】
音声生成部１４は、計時部１１が計測する残時間がゼロになったことを報知する音声としてアラーム音等を生成する。生成された音声は、音声合成部４０に出力され、音声処理部９６から出力される音声情報に合成されて、音声報知部５０から出力される。
なお、後述するように、人感センサ８０が、近傍にいる人間の存在を感知し、感知したことをタイマ処理部１０に出力すると、音声合成部４０を通じて、感知したことの入力を受け付けた音声報知部５０は、人感センサ８０が近傍にいる人間の存在を感知しない場合と較べ、残時間がゼロになったことを報知する音声の音量を上げる。
【００２８】
図２は、本発明に係る計時システム１の時間設定表示画像１１０を示す図である。入力部６０を通じて、図示しないメニュー画面からタイマ機能を選択する操作を行うと、映像処理部９５が出力する映像情報に基づく画像１００に対して、画像生成部１３が出力する時間設定表示画像１１０が、画像合成部２０で合成され、画像出力部３１を通じて表示部３２に出力される。
ユーザは、時間設定表示画像１１０を通じて、入力部６０から設定時間を入力する。ここでは、入力部６０が、表示部３２と一体的にタッチパネルとして構成されている例を基に説明する。
【００２９】
ユーザは、時間設定表示画像１１０上で、「１０分、５分、１分、１０秒」との各表示箇所を指等で任意の回数タッチする操作により、設定時間を入力する。そして、設定時間の入力後、「スタート」の表示をタッチすることで、タイマが開始する。ここで、開始するタイマは、残時間が、数値情報としてのみ表示されるものである。
また、時間設定表示画像１１０は、図形表示ボタン１１１を有する。ユーザが、図形表示ボタン１１１をタッチすることにより、図形表示ボタン１１１は、例えば、反転表示等、表示の変更が行われ、選択状態にあることが示される。この選択状態で、初期残時間の入力後、「スタート」の表示をタッチすることで、タイマが開始するが、ここで開始するタイマは、残時間が、数値情報のみならず、図形情報としても表示されるものである。以下、実施形態１として説明する。
【００３０】
(実施形態１)
図３Ａ乃至図３Ｅは、本発明の実施形態１に係る計時システムにおける表示画像の例を示す図である。図３Ａに示す通り、表示部３２に表示される画像１００に、残時間の分単位を示す表示画像である第１図形１２０が合成して表示されている。そして、残時間数値画像（分単位）１２１として、残時間の分単位を示す数値画像が、第１図形１２０の内部に表示されている。第１図形１２０は、画像１００の視認の妨げとならないように、表示部３２の隅を含む外縁またはその近傍に、画像１００に合成して表示されるのが好ましい。さらに、画像１００が、第１図形１２０に透過して表示されるようにしてもよい。
【００３１】
図３Ａにおいて、第１図形１２０は、表示部３２の隅に、略４分の１円の形状の画像で表示されている。そして、残時間（分単位）の減少に応じて、第１図形１２０は、大きさが縮小する。また、画像１００上に、タイマ開始直後に表示されていた第１図形１２０の外縁を縁取った線として、初期残時間表示画像１４０が表示されるようにしてもよい。これにより、ユーザは、初期残時間表示画像１４０に占める第１図形１２０の大きさから、設定時間からの残時間（分単位）を直感的に把握することができる。つまり、図３Ａから、タイマ開始から既に一定時間が経過していることを把握することができる。
【００３２】
図３Ｂは、図３Ａに示す表示画像に続く、表示画像の例を示す図である。図３Ｂに示す通り、画像１００上に、残時間の秒単位を示す表示画像である第２図形１３０が合成して表示されている。そして、残時間数値画像（秒単位）１３１として、残時間の秒単位を示す数値画像が、第２図形１３０の近傍に表示されている。第１図形１２０の場合と同様に、画像１００が、第２図形１３０に透過して表示されるようにしてもよい。
【００３３】
図３Ｂにおいて、第２図形１３０は、表示部３２の外縁に、略円の形状の画像で表示されている。そして、残時間（秒単位）の減少に応じて、第２図形１３０は、表示部３２の外縁に沿って、第１図形１２０から徐々に離れるように移動し、表示位置を変更する。
第２図形１３０は、例えば、第１図形１２０から滴り落ちる雫を模したアニメーション画像として表示されてもよい。
【００３４】
図３Ｃは、図３Ｂに示す表示画像に続く、表示画像の例を示す図である。図３Ｃにおいて、第２図形１３０は、第１図形１２０から更に離れた位置に移動し、第２図形１３０の表示位置から、ユーザは、設定時間からの残時間（秒単位）を直感的に把握することができる。
【００３５】
図３Ｄは、図３Ｃに示す表示画像に続く、表示画像の例を示す図である。先に図３Ｃが示すように、第２図形１３０は、表示部３２の外縁に沿って、第１図形１２０の表示されている表示部３２の隅から別の隅まで移動する。図３Ｄにおいて、第２図形１３０は、別の隅に到達し、再度、元の隅（すなわち、第１図形１２０の表示位置）に戻って表示されつつあり、残時間の１分単位が経過した直後であることが示されている。このことは、残時間の分単位を示す残時間数値画像（分単位）１２１の数値が、図３Ｃにおけるよりも減少していることからも把握できる。
【００３６】
ここで、第２図形１３０は、上半分を残して、表示部３２の一方の隅から消えつつ、下半分が第１図形１２０から分離しつつある画像として表示されているが、残時間の秒単位がゼロの時に、凡そ第１図形１２０の位置に合成して表示される画像であればよい。
なお、第１図形１２０は、残時間（分単位）の減少により、図３Ａ乃至図３Ｃにおけるよりも、大きさが縮小して表示されている。
【００３７】
図３Ｅは、図３Ｄに示す表示画像に続く、表示画像の例を示す図である。図３Ｅの説明は、図３Ｂの説明とほぼ共通するので、詳細は省略する。但し、図３Ｅにおいて、上述の通り、第１図形１２０は、残時間（分単位）の減少により、図３Ｂにおけるよりも、大きさが縮小して表示されている。
【００３８】
(実施形態２)
図４は、本発明の実施形態２に係る計時システムにおける表示画像の例を示す図である。本実施形態では、入力部６０が、表示部３２と一体的に、タッチパネルとして構成されている。ユーザが、タイマの動作中に、第１図形１２０の外縁を指１６０でタッチすると、その位置にタッチ検出画像１５０が表示され、タッチ操作が可能であることが認識可能となる。この時、タイマは、一時的に動作を停止する。
【００３９】
ユーザが、第１図形１２０の外縁に指１６０でタッチし、タッチ検出画像１５０が表示された状態で、指１６０を第１図形１２０の内側または外側に向けて動かすことにより、第１図形１２０は、大きさが変化する。例えば、指１６０を第１図形１２０の内側に向けて動かすと、第１図形１２０は小さくなり、これに伴い、残時間（分単位）が減少する。また、指１６０を第１図形１２０の外側に向けて動かすと、第１図形１２０は大きくなり、これに伴い、残時間（分単位）が増加する。
第１図形１２０の最大の大きさは、初期残時間表示画像１４０を超えないことが好ましいが、初期残時間表示画像１４０を超えると、設定時間自体が増加するように構成することもできる。
【００４０】
これにより、ユーザは、残時間（分単位）の減少または増加を、第１図形１２０の大きさの変化から直感的に把握し、視覚的な表示を通じて残時間（分単位）を再設定することができる。また、残時間数値画像（分単位）１２１も、残時間（分単位）の減少または増加に従って数値が変化するので、ユーザは、正確な残時間を把握しつつ、残時間を再設定することができる。
ユーザが、第１図形１２０の外縁から指１６０を離すと、タッチ検出画像１５０は消え、一時的に停止していたタイマは、変更後の残時間から、再度、動作を開始する。なお、タッチ検出画像１５０は、ユーザの視認性向上の点から表示されるもので、必ずしも表示されることを要するものではない。
【００４１】
(実施形態３)
図５Ａ乃至図５Ｃは、発明の実施形態３に係る計時システムにおける表示画像の例を示す図である。本実施形態の計時システム１は、加速度センサ７０を有し、好ましくは、屋内での携行が可能な程度に小型軽量かつワイヤレスに構成されたテレビジョン装置に搭載されている。
図５Ａは、テレビジョン装置９０の表示部３２上に表示された画像１００に、第１図形１２０および第２図形１３０が合成して表示され、タイマ機能が動作している様子を示している。第２図形１３０は、表示部３２の縁に沿って、第１図形１２０が表示されている隅から別の隅に向かって、落下するかのように移動し、残時間が秒単位で減少していることを示している。
【００４２】
図５Ｂは、図５Ａの状態から、テレビジョン装置９０を時計回りに９０度回転させた状態を示している。テレビジョン装置９０が上記の如く傾けられ、加速度センサ７０が、その傾きを感知すると、第２図形１３０は移動を停止する。そして、タイマ機能は、一時的に停止する。
【００４３】
図５Ｃは、図５Ｂの状態から、テレビジョン装置９０を時計回りにさらに回転させた状態を示している。加速度センサ７０が、傾きがさらに増して９０度を超えたことを感知すると、第２図形１３０は、図５Ａの状態で移動していたのとは逆の方向に向けて、すなわち、第１図形１２０が表示されている隅に向かって所定の速度で移動する。そして、秒単位の残時間が増加する。なお、第１図形１２０の移動速度は、傾きに応じて増減させてもよい。
【００４４】
ここで、第２図形１３０が、第１図形１２０の位置に到達すると、第１図形１２０の大きさが大きくなり、分単位の残時間が増加するように構成することもできる。この場合、一旦、第１図形１２０の位置に到達した第２図形１３０は、第１図形１２０が表示されている隅とは別の隅に表示され、以降、加速度センサ７０が９０度を超えた傾きを感知する限り、残時間が設定時間に達するまで、第１図形１２０が表示されている隅に向かっての移動を繰り返す。
テレビジョン装置９０の傾きが、図５Ｃの状態から、図５Ｂの状態を経て、図５Ａの状態に戻ると、一時的に停止していたタイマは、変更後の残時間から、再度、動作を開始する。
【００４５】
(実施形態４)
図６Ａおよび図６Ｂは、本発明の実施形態４に係る計時システムにおける表示画像の例を示す図である。本実施形態の計時システム１は、テレビジョン装置９０に搭載され、入力部６０として、タッチパネルを含むものであってもよいが、タッチパネル以外に、物理ボタンや、リモコン、ワイヤレスキーボード等の無線機器による操作が可能であるように構成されている。ここでは、代表的な例として、リモコンによる操作が可能である場合について説明する。
【００４６】
テレビジョン装置９０は、リモコン１８０による操作が可能であり、例えば、リモコン１８０の音量調節ボタン（図示せず）が押されると、音量調節表示画像１７０が、表示部３２に表示された画像１００に合成して表示される。ここで、音量調節ボタンの＋（プラス）を押すと音量が大きくなり、音量調節ボタンの−（マイナス）を押すと音量が小さくなる。
本実施形態では、各音量調節ボタンを、例えば、リモコン１８０の所定のボタンを押した後に押すことで、本来の音量調節とは異なる、タイマ機能の残時間の変更に用いることができる。
【００４７】
図６Ａでは、上述のように、音量調節表示画像１７０が、画像１００に合成して表示されている。そして、リモコン１８０の音量調節ボタンの＋が押されていることが、音量調節表示画像１７０に示されている。ただし、音量調節ボタンの＋は、リモコン１８０の所定のボタンを押した後に押されていることから、実際に音量が変更されることはなく、音量調節表示画像１７０の上部の音量表示のインジケータは変化しない。
このような、リモコン１８０の所定のボタンを押した後に音量調節ボタンの＋を押す操作により、第２図形１３０は、表示部３２の外縁に沿って、第１図形１２０の表示されている表示部３２の隅に向かって移動する。そして、タイマの残時間は増加する。
【００４８】
図６Ｂでも、上述のように、音量調節表示画像１７０が、画像１００に合成して表示されている。そして、リモコン１８０の音量調節ボタンの−が押されていることが、音量調節表示画像１７０に示されている。ただし、音量調節ボタンの−は、リモコン１８０の所定のボタンを押した後に押されていることから、実際に音量が変更されることはなく、音量調節表示画像１７０の上部の音量表示のインジケータは変化しない。
このような、リモコン１８０の所定のボタンを押した後に音量調節ボタンの−を押す操作により、第２図形１３０は、表示部３２の外縁に沿って、第１図形１２０の表示されている表示部３２の隅とは別の隅に向かって移動する。そして、タイマの残時間は減少する。
【００４９】
リモコン１８０の音量調節ボタンの＋または−を押し続けた場合、第２図形１３０が、第１図形１２０の表示されている表示部３２の隅または別の隅に到達すると、第２図形１３０は、反対側の隅に表示される。このとき、第１図形１２０の大きさが変化し、分単位の残時間が増加または減少する。
そして、以降、音量調節ボタンの＋または−を押し続ける限り、残時間が設定時間またはゼロに達するまで、第２図形１３０は、上記の移動を繰り返す。
【００５０】
(実施形態５)
図７Ａおよび図７Ｂは、本発明の実施形態５に係る計時システムにおける表示画像の例を示す図である。本実施形態の計時システム１は、近傍にいる人間の存在を感知する人感センサ８０を有し、テレビジョン装置９０に搭載されている。
図７Ａに示すように、タイマの残時間がゼロになると、タイマ終了表示画像１９０が、表示部３２に表示された画像１００に合成して表示される。また、同時に、音声報知部５０が、音声を発して、残時間がゼロになったことをテレビジョン装置９０の周囲にいる人間に報知する。ここで、人感センサ８０は、近傍にいる人間の存在を感知している。
【００５１】
図７Ｂでも、図７Ａと同様に、タイマの残時間がゼロになり、タイマ終了表示画像１９０が、表示部３２に表示された画像１００に合成して表示されている。一方、図７Ｂでは、図７Ａと異なり、人感センサ８０は、近傍にいる人間の存在を感知していない。
このとき、音声報知部５０は、人感センサ８０が近傍にいる人間の存在を感知する場合と較べ、タイマの残時間がゼロになったことを報知する音声の音量を上げる。
これにより、テレビジョン装置９０の近傍に誰もいない場合でも、テレビジョン装置９０から離れた場所にいる者に対して、タイマの残時間がゼロになったことを報知することができる。
【符号の説明】
【００５２】
１…計時システム、１０…タイマ処理部、１１…計時部、１２…記憶部、１３…画像生成部、１４…音声生成部、２０…画像合成部、３１…画像出力部、３２…表示部、４０…音声合成部、５０…音声報知部、５１…音声出力部、５２…スピーカ、６０…入力部、７０…加速度センサ、８０…人感センサ、９０…テレビジョン装置、９１…アンテナ、９２…チューナ部、９３…復調部、９４…分離部、９５…映像処理部、９６…音声処理部、９７…リモコン、１００…画像、１１０…時間設定表示画像、１１１…図形表示ボタン、１２０…第１図形、１２１…残時間数値画像（分単位）、１３０…第２図形、１３１…残時間数値画像（秒単位）、１４０…初期残時間表示画像、１５０…タッチ検出画像、１６０…人の指、１７０…音量調節表示画像、１８０…リモコン、１９０…タイマ終了表示画像。
【図１】
2019144883.tif 000003
【図２】
2019144883.tif 000004
【図３Ａ】
2019144883.tif 000005
【図３Ｂ】
2019144883.tif 000006
【図３Ｃ】
2019144883.tif 000007
【図３Ｄ】
2019144883.tif 000008
【図３Ｅ】
2019144883.tif 000009
【図４】
2019144883.tif 000010
【図５Ａ】
2019144883.tif 000011
【図５Ｂ】
2019144883.tif 000012
【図５Ｃ】
2019144883.tif 000013
【図６Ａ】
2019144883.tif 000014
【図６Ｂ】
2019144883.tif 000015
【図７Ａ】
2019144883.tif 000016
【図７Ｂ】
2019144883.tif 000017